(57)【要約】【課題】直流電源で動作し、陽極側電極に生じる電解腐蝕を極少に抑制しつつ低価格化と省スペース化に対応する。【解決手段】バイオトイレの便槽１２の側壁１の内面側に相互に離間させて配置する二つの電極２ａ、２ｂと、二つの電極２ａ、２ｂ間に電圧を印可するための直流定電圧電源３、その電極２ａ、２ｂへの電圧の印可をオンオフするスイッチ部４及び直流低電圧電源３の電圧を電極２ａ、２ｂ間の被処理物とで分圧する分圧抵抗器５を備えた電源部６と、二つの電極２ａ、２ｂ間にかかる電圧を測定する電圧計７ａ及びその出力をＡ／Ｄ変換するＡ／Ｄ変換部７ｂとからなる測定部７と、電源部６のスイッチ部４を間欠的にオンとなるように制御し、かつスイッチ部４がオンの時に電圧の値を受け取るべく測定部７を制御する制御部８とで構成する。【選択図】  図１
2012154864.tif 000002
【特許請求の範囲】
【請求項１】
廃棄物処理槽の被処理物中に離間させて配置する二つの電極と、
前記二つの電極間に電圧を印可し又は電流を流すための直流電源を備えた電源部と、
前記二つの電極間にかかる電圧又は該二つの電極間を流れる電流を測定する電圧計又は電流計を備えた測定部と、
前記二つの電極間に間欠的に電圧を印加し又は電流を流すべく前記電源部を制御し、かつ該二つの電極間に間欠的に電圧を印加し又は電流を流す際に前記測定部で測定される前記二つの電極間にかかる電圧又は前記二つの電極間を流れる電流の値を水分値として受け取るべく制御する制御部と、
で構成した廃棄物処理槽用水分計。
【請求項２】
前記電源部に、その直流電源から前記二つの電極に印可する電圧又は流す電流の断続及び該二つの電極間に印可する電圧又は流す電流の極性の切り換えを行いうるスイッチ部を構成し、
前記制御部を、該二つの電極に間欠的に電圧を印加し又は電流を流す毎にその極性を反転させるべく該スイッチ部を制御するように構成した請求項１の廃棄物処理槽用水分計。
【請求項３】
前記制御部を、前記二つの電極間に間欠的に電圧を印加し又は電流を流す動作を１〜４時間毎に１回ずつ行うべく、かつ該二つの電極間への各回の電圧を印加する時間又は電流を流す時間を０．３〜０．５秒間とすべく、前記電源部のスイッチ部を制御するように構成した請求項２の廃棄物処理槽用水分計。
【請求項４】
前記制御部を、新たな被処理物が導入され、かつ前記廃棄物処理槽中の撹拌手段が動作した場合には、その直後に、前記二つの電極間に、更に０．３〜０．５秒間、電圧を印加し又は電流を流す動作を行うべく、前記電源部のスイッチ部を制御するように構成した請求項３の廃棄物処理槽用水分計。
【発明の詳細な説明】
【技術分野】
【０００１】
本発明は、バイオトイレの便槽等を含めた廃棄物処理槽内の被処理物の水分状態を測定するための廃棄物処理槽用水分計に関する。
【背景技術】
【０００２】
微生物による主たる分解処理対象が排泄物であるバイオトイレや生ゴミである生ゴミ処理機等の廃棄物処理槽において、微生物による分解活動を良好に維持するためには槽内の被処理物の水分率を常時又は定期的に測定し、容積比で１５％〜４０％程度に制御することが必要であることはよく知られた事実であり、水分率を制御する手段については多くの提案がなされている。他方、被処理物の水分率を制御するためには、当然、その水分率を測定する手段が必要であるが、これに関してはその具体的な提案が殆どなされていない。
【０００３】
特許文献１は、バイオトイレである仮設トイレに関する提案であり、この仮設トイレでは、排泄物が導入される消化槽に微生物が棲息する糞尿処理用木質チップが収容されており、その木質チップの水分率が、除湿手段及び加熱手段で制御されるようになっている。しかし水分率の測定手段に関しては説明がない。
【０００４】
特許文献２は、特許文献１と同様に、バイオトイレである仮設トイレに関する提案であり、この仮設トイレでは、排泄物が導入される消化槽に微生物が棲息する糞尿処理用木質チップが収容されており、その木質チップの水分率が、除湿手段、該消化槽内を加熱する加熱手段及び該消化槽内の空気を排出する排気手段で制御されるようになっている。該除湿手段は、前記木質チップの含水率を３０〜７０％にするように制御されることになっている。しかしこの水分率を測定する測定手段に関しては説明がない。
【０００５】
特許文献３は、バイオトイレである移動体内のトイレ用排泄物処理装置に関するものであり、これは、処理槽内の被処理物の水分状態を検出する被処理物水分測定センサを備え、これによってその水分状態を検出し、該水分測定センサの出力に応じて、制御手段により、該処理槽に配してある回転撹拌手段及び排気手段の動作を制御し、該処理槽内の被処理物の水分状態を水分率で４０〜７０％の範囲に保持して微生物による分解処理が好適に行われるように制御するようになっている。この特許文献３では、前記のように、水分測定センサに関する記述はあるが、市販の水分率測定センサを採用したという以上の説明はなされておらず、具体的な構成は不明である。
【０００６】
特許文献４は、土壌に突き刺しうる棒状の構成の土壌水分計である。その先端と長さ方向途中の周側に電極が構成してあり、土壌に突き刺し、両電極間の電気抵抗を測定することで土壌中の水分を測定しようとするものである。その名称のとおり、土壌中に突き刺して簡易に水分を測定するのに適する水分計であり、バイオトイレの便槽や生ゴミ処理機の処理槽中に配して長期間にわたって使用するのには適切ではない。
【０００７】
特許文献５は、電気抵抗式水分計に関するものであり、試料皿に穀類試料を載せ、該穀類試料を上部電極及び下部電極で挟んで、該電極間の電気抵抗を測定することにより、該穀類試料の含水率を測定するものである。この特許文献５を含めて穀類の含水率を測定する電気抵抗式水分計は非常に多数の提案があるが、やはり穀類の含水率の測定用であり、それらの電気抵抗測定用の電極は、いずれもバイオトイレの便槽や生ゴミ処理機の処理槽中に配してその被処理物の水分測定用に用いるには適さない。
【先行技術文献】
【特許文献】
【０００８】
【特許文献１】特許第４２４３４０６号公報
【特許文献２】特許第４２４３４０７号公報
【特許文献３】特開２００９−２３３６０９号公報
【特許文献４】実開昭６３−１１８５５７号公報
【特許文献５】特開平０５−１２６７７５号公報
【発明の概要】
【発明が解決しようとする課題】
【０００９】
前記特許文献４及び５は、基本構成は、電気抵抗式の水分計であり、バイオトイレの便槽や生ゴミ処理機の処理槽中の被処理物である排泄物等の廃棄物の水分率の測定には、以上のような電気抵抗式の水分計を採用するのが適当である。しかしこれらの電気抵抗式の水分計では、測定対象である被処理物中に二つの電極を配し、この間に電流を流し、両電極間にかかる電圧を測定し又は両電極間を流れる電流を測定することによってその間の電気抵抗を得、これに基づいて水分率を得るものであり、この種の水分計は構成が簡単ではあるが、直流電源を用いた場合には、二つの電極のうち、陽極側に電解腐蝕による錆を発生し、比較的短期間の内に破損してしまうという問題がある。
【００１０】
このような問題は、直流電源に代えて交流電源を用いれば低減されるが、バイオトイレや生ゴミ処理機の処理槽では、槽中の被処理物の処理のために撹拌手段、排気手段、加温手段及び給水手段等の種々の処理手段を備えており、それらの動作を制御するために制御手段を備えているが、この制御手段は、云うまでもなく、直流定電圧電源を用いており、水分計に交流電源を用いるのは、制御手段とは異なる別個の電源を要するほか、相互の整合性を確保するために回路が複雑になり、かつ回路基板の大型化をもたらす等の問題が生じ、これによって低価格化及び省スペース化の要請に応じることができなくなる等の問題がある。
【００１１】
本発明は、以上の問題点を解消し、前記制御手段と同様の直流電源で動作する水分計であって、陽極側電極に生じる電解腐蝕を極少に抑制しつつ低価格化と省スペース化に対応できる廃棄物処理槽用水分計を提供することを解決の課題とするものである。
【課題を解決するための手段】
【００１２】
本発明の１は、廃棄物処理槽の被処理物中に離間させて配置する二つの電極と、
前記二つの電極間に電圧を印可し又は電流を流すための直流電源を備えた電源部と、
前記二つの電極間にかかる電圧又は該二つの電極間を流れる電流を測定する電圧計又は電流計を備えた測定部と、
前記二つの電極間に間欠的に電圧を印加し又は電流を流すべく前記電源部を制御し、かつ該二つの電極間に間欠的に電圧を印加し又は電流を流す際に前記測定部で測定される前記二つの電極間にかかる電圧又は前記二つの電極間を流れる電流の値を水分値として受け取るべく制御する制御部と、
で構成した廃棄物処理槽用水分計である。
【００１３】
本発明の２は、本発明の１の廃棄物処理槽用水分計において、
前記電源部に、その直流電源から前記二つの電極に印可する電圧又は流す電流の断続及び該二つの電極間に印可する電圧又は流す電流の極性の切り換えを行いうるスイッチ部を構成し、
前記制御部を、該二つの電極に間欠的に電圧を印加し又は電流を流す毎にその極性を反転させるべく該スイッチ部を制御するように構成したものである。
【００１４】
本発明の３は、本発明の２の廃棄物処理槽用水分計において、
前記制御部を、前記二つの電極間に間欠的に電圧を印加し又は電流を流す動作を１〜４時間毎に１回ずつ行うべく、かつ該二つの電極間への各回の電圧を印加する時間又は電流を流す時間を０．３〜０．５秒間とすべく、前記電源部のスイッチ部を制御するように構成したものである。
【００１５】
本発明の４は、本発明の請求項３の廃棄物処理槽用水分計において、
前記制御部を、新たな被処理物が導入され、かつ前記廃棄物処理槽中の撹拌手段が動作した場合には、その直後に、前記二つの電極間に、更に０．３〜０．５秒間、電圧を印加し又は電流を流す動作を行うべく、前記電源部のスイッチ部を制御するように構成したものである。
【発明の効果】
【００１６】
本発明の１の廃棄物処理槽用水分計によれば、廃棄物処理槽に配されている電極は、常時、被処理物中に配されているものであるが、両電極間を電流が流れる時間は、実際に被処理物中の水分状態を検出する必要のあるその瞬間のみの極めて短時間であるため、その陽極側に生じる腐蝕は容易に進行せず、長期にわたって正常な状態での使用を継続することができる。
【００１７】
バイオトイレや生ゴミ処理機においては、その廃棄物処理槽中の被処理物の良好な処理を実現するために、水分状態を検出し、水分率が容積比で１５％〜４０％の範囲から外れ、この範囲より水分率が高ければ、これを下げてその範囲に入るように、この範囲に入っていればその状態が維持できるように、低ければ、これを上げてその範囲に入るように、この廃棄物処理槽に配してある加温手段、撹拌手段、排気手段手段及び給水手段等の処理手段の各々の動作を制御する。バイオトイレや生ゴミ処理機においては、このような場合のそれらの処理槽中の被処理物の水分率を測定するために廃棄物処理槽用水分計を用いている。
【００１８】
廃棄物処理槽用水分計においては、例えば、その出力電圧値が低ければ（出力電流値が高ければ）、抵抗値が低く、被処理物中の水分率が高いことを示しており、この場合には、その程度に応じて、加温手段、撹拌手段及び排気手段を動作させ、給水手段の動作を停止させて水分の割合が低下するように制御する。また逆に廃棄物処理槽用水分計の出力電圧値が高ければ（出力電流値が低ければ）、抵抗値が大きく、被処理物中の水分率が低いことを示しており、この場合には、その程度に応じて、加温手段、撹拌手段及び排気手段の動作を停止させ、給水手段を給水動作させ、水分の割合を上昇させるように制御する。出力電圧値が中間程度であれば（出力電流値が中間程度であれば）、この場合には、水分率が１５％〜４０％（容積比）の範囲内であり、その程度の水分率を維持すべく、加温手段、撹拌手段及び排気手段を対応するレベルで動作させ、給水手段の動作を適度に制御する。
【００１９】
廃棄物処理槽用水分計は、このように、加温手段、撹拌手段、排気手段及び給水手段等の各種の処理手段を動作させて、被処理物中の水分状態を適切な状態に保持するために、その前提として、その水分状態を測定する手段として使用するものであり、廃棄物処理槽の被処理物中に二つの電極を配し、該二つの電極間の被処理物の電気抵抗を測定して、水分状態を推測している。そして、廃棄物処理槽用水分計では、両電極間に電圧をかけ、その間を流れる電流によって生じる電圧降下を測定し、又は両電極間に電流を流し、その間を流れる電流値を測定して、その間の電気抵抗を得るものであるが、そのための電源としては、回路の簡易性等を考慮し、かつ以上の加温手段や撹拌手段等の動作を制御する制御装置と整合性の取り易い直流電源を用いている。
【００２０】
廃棄物処理槽用水分計においては、以上の二つの電極は、被処理物から抜き差しするものではなく、常時、被処理物中に配しておくものであり、既存の廃棄物処理槽用水分計においては、常時、その抵抗値を測定すべく、その間に電圧をかけ、電流を流している。前記のように、そのため、その陽極側に電解腐蝕が生じ、短期間の内に、陽極側電極に損傷が生じて使用不能になっているのが実情である。これに対して、本発明の１の廃棄物処理槽用水分計においては、実際に、被処理物の処理を適切に行うために水分状態を知る必要のある最少時間においてのみ二つの電極間に電圧をかけ又は電流を流してその間の抵抗を測定し、水分率を得ることとしたものであり、それ故、前記のように、その陽極側の腐蝕が殆ど進まなくなり、電極を取り替えることなく長期にわたる測定が可能になったものである。
【００２１】
本発明の２の廃棄物処理槽用水分計によれば、二つの電極間に電圧を印加し又は電流を流すための電源として直流のそれを用いているにも拘わらず、該二つの電極間に間欠的に電圧を印加し又は電流を流す毎にその極性を反転させるようにしたため、二つの電極には殆ど腐蝕が生じることがなくなるものである。
【００２２】
本発明の３の廃棄物処理槽用水分計によれば、各回の二つの電極間への電圧の印加時間又は該二つの電極間に電流を流す時間を、該二つの電極間の抵抗値を測定するほぼ最少限度の時間に限り、かつ該二つの電極間に電圧を印加し又は電流を流す時間間隔を、便槽中の被処理物の処理のために必要なその水分値の測定に支障のないできるだけ長い時間間隔をあけてすることとしたため、該二つの電極の電解腐蝕の発生をより一層生じ難くしたものである。
【００２３】
本発明の４の廃棄物処理槽用水分計によれば、定期的に水分率の測定を行うほかに、被処理物の水分率の変化する事情が生じた場合には、その都度、被処理物の均一化の処理を施した上で、その直後に水分率の測定を行うこととしたため、定期的な測定時以外に、被処理物の水分率に変化が生じてもこれが放置されることなく、適切に処理され、常時、良好な水分状態に維持されるものである。
【図面の簡単な説明】
【００２４】
【図１】バイオトイレの便槽の側壁に取り付けた実施例１の廃棄物処理槽用水分計の説明図。
【図２】実施例１のバイオトイレ用水分計で行われる被処理物の水分率の定時的な測定動作を示すタイミングチャート図。
【図３】バイオトイレの便槽の側壁に取り付けた実施例２の廃棄物処理槽用水分計の説明図。
【図４】実施例２のバイオトイレ用水分計で行われる被処理物の水分率の定時的な測定動作を示すタイミングチャート図。
【図５】実施例１、２及び比較例が適用する廃棄物処理槽用の概要及び廃棄物処理槽用水分計の取り付け状態を示す断面説明図。
【図６】生ゴミ処理機の処理槽の側壁に取り付けた実施例３の廃棄物処理槽用水分計の説明図。
【図７】バイオトイレの便槽の側壁に取り付けた比較例の廃棄物処理槽用水分計の説明図。
【発明を実施するための形態】
【００２５】
発明を実施するための形態を実施例に基づき図面を参照しながら詳細に説明する。
【００２６】
＜実施例１＞
この実施例１の廃棄物処理槽用水分計は、図１に示すように、バイオトイレの便槽１２の側壁１に相互に離間させて配置する二つの電極２ａ、２ｂと、該二つの電極２ａ、２ｂ間に電圧を印可するための直流定電圧電源３、スイッチ部４及び分圧抵抗器５を備えた電源部６と、該二つの電極２ａ、２ｂ間にかかる電圧を測定する電圧計７ａ及びその出力をＡ／Ｄ変換するＡ／Ｄ変換部７ｂとからなる測定部７と、前記電源部６のスイッチ部４及び測定部７を制御する制御部８とで構成したものである。
【００２７】
前記電極２ａ、２ｂは、図１に示すように、それぞれ半球状本体２ａ１、２ｂ１と、その円形平面状の裏面中央から延びるボルト状連結部２ａ２、２ｂ２とからなり、ステンレススチールで一体に構成したものである。これらの電極２ａ、２ｂは、同図に示すように、絶縁板９を介して前記便槽１２の側壁１に取り付ける。該絶縁板９は、該電極２ａ、２ｂの設置間隔でその一面から他面に貫通する二つの取付孔９ａが開口してあり、該絶縁板９の一面側には、該取付孔９ａ、９ａと同軸状態に筒部９ｂ、９ｂが突出させてあるものである。
【００２８】
該絶縁板９は、図１に示すように、前記便槽１２の側壁１の内面側の所定の位置にその一面を当接状態に配し、その筒部９ｂ、９ｂを、該側壁１に該電極２ａ、２ｂの設置間隔で開口してある貫通孔に挿入する。該電極２ａ、２ｂは、座金を介して便槽１２の内側からそのボルト状連結部２ａ２、２ｂ２をそれぞれ該絶縁板９の取付孔９ａ、９ａに挿入し、該便槽１２の外側に突出させ、更に該ボルト状連結部２ａ２、２ｂ２に外側から座金及び端子片１０、１０の基部側を係止した上で、それぞれナットを螺合して、該電極２ａ、２ｂを該絶縁板９とともにその状態に固定する。
【００２９】
この実施例１では、電極２ａ、２ｂは、前記のように構成し、かつ以上のような絶縁板９を介して便槽１２の側壁１に取り付けたものであるが、電極及びその取付方はいずれもこれに限定される訳ではない。電極２ａ、２ｂは、錆の発生し難い導電性金属で種々の形状に構成することが可能であり、かつ他の部材と絶縁性を保持しつつ水密状態に取り付けうるものであれば、その便槽１２の側壁１への取付態様も自由である。
【００３０】
前記電源部６は、前記のように、この実施例１では、直流定電圧電源３とスイッチ部４と分圧抵抗器５とからなるものであるが、該直流定電圧電源３は、バイオトイレの制御装置用のそれと共用する。図面上はバイオトイレのそれから独立した如くに描いてあり、説明もそのように行うが、これは説明の都合上、便宜的にそうしているに過ぎない。また前記スイッチ部４は、この実施例１では、機械式のそれを用いているが、それに限らず、半導体スイッチを用いることも自由である。また分圧抵抗器５は、前記直流定電圧電源３の出力電圧を、これと、前記二つの電極２ａ、２ｂ間の被処理物１１の有する抵抗とで分圧するものである。
【００３１】
以上において、詳細には、図１に示すように、直流定電圧電源３は、その陽極側をスイッチ部４を介して前記電極２ａの端子片１０に接続し、その陰極側を分圧抵抗器５を介して前記電極２ｂの端子片１０に接続する。
【００３２】
前記測定部７の電圧計７ａは、前記のように、前記電極２ａ、２ｂ間にかかる電圧を測定する手段であり、この実施例１では、アナログ式の電圧計を採用している。電圧計７ａで測定されたアナログ信号である電圧値はこの測定部７中に備えられたＡ／Ｄ変換部７ｂでディジル信号に変換して出力されるようになっている。なお、この電圧計７ａとしては、当然、ディジタル式のそれを採用することも可能であり、その場合は、電圧計にＡ／Ｄ変換部が内蔵されているので直接その出力を制御部８に受け渡すことができる。以上の測定部７の電圧計７ａは、当然、その陽極側を電極２ａの端子片１０に、陰極側を電極２ｂの端子片１０に接続する。
【００３３】
前記制御部８は、これも、バイオトイレの制御装置を共用する。図面上は、バイオトイレのそれとは独立したように描かれているが、それは説明のための便宜上そうしているに過ぎない。
【００３４】
該制御部８は、この廃棄物処理槽用水分計のための機能としては、前記二つの電極２ａ、２ｂ間に間欠的に電圧を印加すべく前記電源部６のスイッチ部４をオンオフ制御し、そのオンの時間中に前記測定部７の電圧計７ａで測定されている該二つの電極２ａ、２ｂ間にかかる電圧の値を所定のタイミングでサンプリングし、Ａ／Ｄ変換部７ｂでＡ／Ｄ変換させ、これを水分値として受け取るべく制御する。具体的には、この実施例１では、該スイッチ部４を、図２(a)に示すように、４時間毎に（２４時間で６回）０．５秒間ずつオンとなるように制御し、図２(b)に示すように、その間の更に５０ｍｓの間に電圧計７ａで測定している電圧の値(アナログ信号)をＡ／Ｄ変換部７ｂでサンプリングし、これをＡ／Ｄ変換し、得られたディジタル信号である電圧値を水分値として受け取るべく該測定部７を制御する。
【００３５】
また、これに加えて、バイオトイレ側の図示しないセンサでトイレを使用したことが検出された場合には、その後、後記撹拌手段１３の一サイクルの動作（一定時間の正転→一定時間の停止→一定時間の逆転→一定時間の停止）の終了後、前記スイッチ部４を、同様に、０．５秒間だけオンとなるように制御し、その間に電圧計７ａで測定している電圧の値を、更にその間の５０ｍｓの間にＡ／Ｄ変換部７ｂでサンプリングし、かつＡ／Ｄ変換し、得られたディジタル電圧信号を水分値信号として受け取るべく該測定部７を制御する。該制御部８は、受け取った電圧の値に基づいて、後述するように、被処理物１１の水分率を１５％〜４０％（容積比）の範囲に維持すべくバイオトイレの撹拌手段１３、排気手段、加温手段１４及び給水手段等の動作を制御する。
【００３６】
次に、この実施例の廃棄物処理槽用水分計を適用したバイオトイレについてその概要を簡単に説明する。
これは、図５に示すように、便器から導入される排泄物である被処理物１１を収容し微生物処理する便槽１２と、該便槽１２に配された処理手段とその制御装置と直流定電圧電源とからなる。処理手段としては、同図に示すように、便槽１２の長さ方向に沿って配した回転軸及びこれに配した回転羽根で構成した撹拌手段１３と、該便槽１２の側壁１の外面に配した加温手段１４と、浄水を便槽１２中に供給する給水手段と、排気手段とからなる。該給水手段は、同図中ではその一部である給水管１５のみを示してあり、排気手段は、排気口１６ａ及び吸気口１６ｂのみが示してある。吸気口１６ｂは、便槽１２の上部空間の空気を排気手段を動作させてその排気口１６ａから排出した場合に、減圧された便槽１２内の上部に大気を導入するための導入口である。なお、同図中、Ｄは、廃棄物処理槽用水分計であり、Ｃは、電源及び測定部の回路である。
【００３７】
前記制御装置は、廃棄物処理槽用水分計の測定部７から受け取った測定値（抵抗値から導き出した水分値（水分率））を参照し、季節に応じて適当に設定可能な基準値に基づいて、以上の撹拌手段１３、加温手段１４、給水手段及び排気手段の動作を制御する。基準値の例を示すと、次の通りである。
レベル０＝被処理物１１の水分率５％未満
レベル１＝被処理物１１の水分率５％以上１５％未満
レベル２＝被処理物１１の水分率１５％以上４０％未満
レベル３＝被処理物１１の水分率４０％以上５０％未満
レベル４＝被処理物１１の水分率５０％以上
（以上の水分率は容積比）
なお、レベル４になると、撹拌手段１３等の処理手段の動作によって微生物の正常な活動を回復することができる範囲を越えている。従ってこの場合は、制御装置は管理者に警報を発するようになっている。
【００３８】
前記制御装置は、以上の基準値に基づいて、前記処理手段の動作を、例えば、以下のように制御し、被処理物１１の水分率を１５〜４０％程度の範囲に維持させるようにする。
【００３９】
レベル０の場合は、前記排気手段はその排気口１６ａからの排気風量を１ｍ３／ｍｉｎに、前記撹拌手段１３はその動作を停止状態に、前記加温手段１４はその動作を停止状態に、前記給水手段はその給水管１５から浄水を給水するように、それぞれ制御する。
【００４０】
レベル１の場合は、前記排気手段はその排気口１６ａからの排気風量を３ｍ３／ｍｉｎに、前記撹拌手段１３はこれを正転３分→停止１分→逆転３分→停止１分の動作を繰り返すように、前記加温手段１４はその温度が６０℃になるように、前記給水手段はその給水管１５からの浄水の導入を停止するように、それぞれ制御する。
レベル２の場合は、前記排気手段はその排気口１６ａからの排気風量を４．５ｍ３／ｍｉｎに、前記撹拌手段１３はこれを正転４分→停止１分→逆転４分→停止１分の動作を繰り返すように、前記加温手段１４はその温度が１２０℃になるように、前記給水手段はその給水管１５からの浄水の導入を停止するように、それぞれ制御する。
【００４１】
レベル３の場合は、前記排気手段はその排気口１６ａからの排気風量を５．０ｍ３／ｍｉｎに、前記撹拌手段１３はこれを正転５分→停止１分→逆転５分→停止１分の動作を繰り返すように、前記加温手段１４はその温度が１５０℃になるように、前記給水手段はその給水管１５からの浄水の導入を停止するように、それぞれ制御する。
レベル４の場合は、前記したように、制御装置は別に用意してある報知手段を動作させて管理者に警報を発する。管理者による被処理物１１の手動による処理に委ねるためである。
【００４２】
従ってこの実施例１の廃棄物処理槽用水分計によれば、基本的には、制御部８で、図２(a)に示すように、前記電源部６のスイッチ部４が４時間毎に０．５秒ずつオンになるように制御され、そのとき電極２ａ、２ｂ間にその間に位置する被処理物１１の水分状態によって定まる抵抗値に応じた電流が流れ、電圧降下が生じる。他方、上記０．５秒間のスイッチ部４のオンの時間中に前記測定部７の電圧計７ａで前記電極２ａ、２ｂ間に生じている電圧の測定が行われており、図２(b)に示すように、その間の５０ｍｓの間に、そのアナログ値がＡ／Ｄ変換部７ｂでサンプリングされ、かつＡ／Ｄ変換されてディジタル電圧値信号となり、これが水分値信号として前記制御部８に送られるように、該制御部８で制御される。
【００４３】
またこの実施例１の廃棄物処理槽用水分計によれば、制御部８により、このほかに、バイオトイレ側の図示しないセンサでトイレを使用したことが検出された場合には、その後の撹拌手段１３の一サイクルの動作（そのときの水分率レベルに応じた、一定時間の正転→一定時間の停止→一定時間の逆転→一定時間の停止）の終了後に、前記スイッチ部４を０．５秒間だけオンとなるように制御し、前記したのと同様に、電極２ａ、２ｂ間にその間に位置する被処理物１１の水分状態によって定まる抵抗値に応じた電流が流れるようにする。他方、前記測定部７の電圧計７ａがその間に測定している電圧の値を、その間の更に５０ｍｓの間にＡ／Ｄ変換部７ｂでサンプリングし、かつＡ／Ｄ変換し、得られたディジタル電圧値信号を制御部８に送るように、測定部７も制御する。
【００４４】
この制御部８を兼ねるバイオトイレの制御装置では、受け取った水分値信号（水分率信号）を基準値と比較し、該当するレベルに応じて、前記排気手段、前記撹拌手段１３、前記加温手段１４及び前記給水手段を前記したように動作するように制御し、便槽１２中の被処理物１１の水分率を１５％〜４０％（容積比）の間に維持するようにする。
【００４５】
また、以上のように、基本的に、４時間毎に被処理物１１の水分率を測定して撹拌手段１３及び排気手段等の処理手段をその時点の被処理物１１の水分率に適合するように動作させ、トイレの使用が行われた場合には、引き続く撹拌手段１３による被処理物１１の均一化処理動作が行われた後にすぐに水分率を測定し、その時点の被処理物１１の水分率に適合する撹拌手段１３等の処理手段の動作をさせることとしたものであるため、被処理物１１の水分率の測定が間欠的にかつ比較的少ない回数だけしか行われないとしても、該被処理物１１の水分率は常時良好な状態を保持できるものである。
【００４６】
更に被処理物１１の水分率の測定回数は、この実施例１では、最少では１日６回であるが、頻繁にトイレの使用が行われ、例えば、午前８時から午後１０時までの１４時間の間に５回／時間で７０回使用されたとすると、その都度、被処理物１１の水分率の測定が行われるので、電極２ａ、２ｂ間に電流が流れる１日の総時間は、
電流の流れる総時間＝（７０＋６）（回）×０．５（秒）
＝３８（秒）
であり、１年間でも１３８７０秒（３時間５１分１０秒）である。この条件、及び直流定電圧電源３の電圧５Ｖ、かつ分圧抵抗器５の抵抗値２０ｋΩで試験をしてみたところ、直流定電圧電源３の陽極にスイッチ部４を介して接続している電極２ａを含めて両電極２ａ、２ｂともに、その表面は僅かに光沢が失われたが、明らかな錆の発生は認められなかった。
【００４７】
＜実施例２＞
この実施例２の廃棄物処理槽用水分計は、図３に示すように、バイオトイレの便槽１２の側壁１の内面側に相互に離間させて配置する二つの電極２ａ、２ｂと、該二つの電極２ａ、２ｂ間に電圧を印可するための直流定電圧電源２３、二回路３接点の切換スイッチ部２４及び分圧抵抗器２５を備えた電源部２６と、該二つの電極２ａ、２ｂ間にかかる電圧を測定する電圧計２７ａ及びその出力をＡ／Ｄ変換するＡ／Ｄ変換部２７ｂとからなる測定部２７と、電源部２６の切換スイッチ部２４及び測定部２７を制御する制御部２８とで構成したものである。
【００４８】
前記電極２ａ、２ｂは、実施例１の電極２ａ、２ｂと全く同一の構成であり、実施例１で用いた絶縁板９で同様に側壁１に取り付けられる。
【００４９】
前記電源部２６は、前記のように、この実施例２では、直流定電圧電源２３と切換スイッチ部２４と分圧抵抗器２５とからなるものであるが、該直流定電圧電源２３は、実施例１のそれと同様に、バイオトイレの制御装置用のそれと共用する。図面上はバイオトイレのそれから独立した如くに描いてあり、説明もそのように行うが、これは説明の都合上便宜的にそうしているに過ぎない。また前記切換スイッチ部２４は、二回路３接点のスイッチであり、支分スイッチ２４ａ、２４ｂからなり、それぞれ基部側の端子ｄと、連動して切り換え可能な３個の接点ａ、ｂ、ｃとを備えたものである。この実施例２では、実施例１と同様に、機械式のそれを用いているが、それに限らず、半導体スイッチを用いることも自由である。また分圧抵抗器２５は、実施例１の分圧抵抗器５と同様に、前記直流定電圧電源２３の出力電圧を、これと、前記二つの電極２ａ、２ｂ間の被処理物１１の有する抵抗とで分圧するものである。
【００５０】
相互の接続は、具体的には、前記電極２ａの端子片１０を前記切換スイッチ部２４の支分スイッチ２４ａにおける基部側の端子ｄに接続し、前記電極２ｂの端子片１０を前記切換スイッチ部２４の他方の支分スイッチ２４ｂにおける基部側の端子ｄに接続する。前記支分スイッチ２４ａの接点ａ、ｂ、ｃの内の接点ａ及び前記支分スイッチ２４ｂの接点ａ、ｂ、ｃの内の接点ｃには、それぞれ直流定電圧電源２３の陽極側を分圧抵抗器２５を介して接続する。また前記支分スイッチ２４ａの接点ａ、ｂ、ｃの内の接点ｃ及び前記支分スイッチ２４ｂの接点ａ、ｂ、ｃの内の接点ａには、それぞれ直流定電圧電源２３の陰極側を接続する。支分スイッチ２４ａ、２４ｂの各々の接点ｂには、いずれも何も接続しない。
【００５１】
前記測定部２７の電圧計２７ａは、前記のように、前記電極２ａ、２ｂ間にかかる電圧を測定する手段であり、この実施例２では、実施例１と同様に、アナログ式の電圧計を採用している。電圧計２７ａで測定されたアナログ信号である電圧値はこの測定部２７中に備えられたＡ／Ｄ変換部２７ｂでディジル信号に変換されて出力されるようになっている。なお、この電圧計２７ａとしては、当然、ディジタル式のそれを採用することも可能であり、その場合は、電圧計にＡ／Ｄ変換部が内蔵されているので直接その出力を制御部２８に受け渡すことができる。以上の測定部２７の電圧計２７ａは、その陽極側を前記切換スイッチ部２４の支分スイッチ２４ａの接点ａ及び支分スイッチ２４ｂの接点ｃと前記分圧抵抗器２５との間に接続し、陰極側を直流定電圧電源２３の陰極側に接続する。前記電極２ａ、２ｂ間の電圧を測定する趣旨である。
【００５２】
前記制御部２８は、これも、バイオトイレの制御装置を共用する。図面上は、バイオトイレのそれとは独立したように描かれているが、それは説明のための便宜上そうしているに過ぎない。
【００５３】
該制御部２８は、この廃棄物処理槽用水分計のための機能としては、まず前記二つの電極２ａ、２ｂ間に間欠的に電圧を印加すべく前記電源部２６の切換スイッチ部２４の支分スイッチ２４ａ、２４ｂを連動してオンオフ及び切換制御し、そのオンの時間中に前記測定部２７の電圧計２７ａで測定されている該二つの電極２ａ、２ｂ間にかかる電圧の値を所定のタイミングでサンプリングし、Ａ／Ｄ変換部２７ｂでＡ／Ｄ変換させ、この電圧の値を水分値として受け取るべく制御する。具体的には、この実施例２では、該切換スイッチ部２４を、図４(a)に示すように、２時間毎に（２４時間で１２回）０．３秒間ずつオンとなるように、かつ一回のオン毎に極性を切り換えるように、すなわち、大部分のオフ時には、支分スイッチ２４ａ、２４ｂは各々接点ｂに切り換え、２時間毎のオン時には、支分スイッチ２４ａ、２４ｂの各接点ａの閉成又は各接点ｃの閉成を交互に繰り返し、オン時に電極２ａ、２ｂ間にかかる電圧の極性は一回ごとに反転させるべく制御する。そして、各オンの時間内（０．３秒）に電圧計２７ａで測定している電圧の値(アナログ信号)を、図４(b)に示すように、更に５０ｍｓの間にＡ／Ｄ変換部２７ｂでサンプリングし、かつＡ／Ｄ変換し、得られたディジタル信号である電圧値を水分値として受け取るべく該測定部２７を制御する。
【００５４】
また、これに加えて、バイオトイレ側のセンサでトイレを使用したことが検出された場合には、その後、前記撹拌手段１３の一サイクルの動作（一定時間の正転→一定時間の停止→一定時間の逆転→一定時間の停止）の完了後、前記切換スイッチ部２４を、同様に、前記のように切り換えつつ０．３秒間だけオンとなるように制御し、その間に電圧計２７ａで測定している電圧の値を、更にその間の５０ｍｓの間にＡ／Ｄ変換部２７ｂでサンプリングし、かつＡ／Ｄ変換し、得られたディジタル電圧信号を水分値信号として受け取るべく該測定部２７を制御する。該制御部２８は、受け取った電圧の値に基づいて、実施例１に関して説明したのと同様に、被処理物１１の水分率を１５％〜４０％（容積比）の範囲に維持すべくバイオトイレの撹拌手段１３、排気手段、加温手段１４及び給水手段等の動作を制御する。
【００５５】
バイオトイレの構成及び動作は実施例１について説明したのと全く同様である。
【００５６】
従ってこの実施例２の廃棄物処理槽用水分計によれば、基本的には、制御部２８で、前記電源部２６の切換スイッチ部２４が２時間毎に０．３秒ずつ電極２ａ、２ｂに加わる電圧の極性を切り換えつつオンになるように制御され、そのとき電極２ａ、２ｂ間にその間に位置する被処理物１１の水分状態によって定まる抵抗値に応じた電流が流れ、電圧降下が生じる。他方、上記０．３秒間の切換スイッチ部２４のオンの時間中に前記測定部２７の電圧計２７ａで前記電極２ａ、２ｂ間に生じている電圧の測定が行われており、その間の更に５０ｍｓの間に、そのアナログ値がＡ／Ｄ変換部２７ｂでサンプリングされ、かつＡ／Ｄ変換されてディジタル電圧値信号となり、これが水分値信号として前記制御部２８に送られるように、該制御部２８で制御される。
【００５７】
またこの実施例２の廃棄物処理槽用水分計によれば、制御部２８により、このほかに、バイオトイレ側の図示しないセンサでトイレを使用したことが検出された場合には、引き続く前記撹拌手段１３の一サイクルの動作（そのときの水分率レベルに応じた、一定時間の正転→一定時間の停止→一定時間の逆転→一定時間の停止）の終了後、前記スイッチ部２４をその直前のオン時と極性を反転させて０．３秒間だけオンとなるように制御し、前記したのと同様に、電極２ａ、２ｂ間にその間に位置する被処理物１１の水分状態によって定まる抵抗値に応じた電流が流れるようにする。他方、前記測定部２７の電圧計２７ａがその間に測定している電圧の値を、その間の更に５０ｍｓの間にＡ／Ｄ変換部２７ｂでサンプリングし、かつＡ／Ｄ変換して、得られたディジタル電圧値信号を制御部２８に送るように、測定部２７も制御する。
【００５８】
この制御部２８を兼ねるバイオトイレの制御装置では、受け取った水分値信号（水分率信号）を前記基準値と比較し、該当するレベルに応じて、実施例１と同様に、便槽１２に配してある排気手段、撹拌手段１３、加温手段１４及び給水手段を適切に動作するように制御し、便槽１２中の被処理物１１の水分率を１５％〜４０％の間に維持させるようにする。
【００５９】
また、以上のように、基本的に、２時間毎に被処理物１１の水分率を測定して撹拌手段１３及び排気手段等の処理手段をその時点の被処理物１１の水分率に適合するように動作させ、トイレの使用が行われた場合には、撹拌手段１３による被処理物１１の均一化動作が行われた後にすぐ水分率を測定し、その時点の被処理物１１の水分率に適合する処理手段の動作をさせることとしたものであり、被処理物１１の水分率の測定が間欠的にかつ比較的少ない回数だけしか行われないとしても、被処理物１１の水分率は常時良好な状態を保持できる。
【００６０】
更に被処理物１１の測定回数は、最少で１日１２回であるが、頻繁にトイレの使用が行われ、例えば、午前８時から午後１０時までの１４時間の間に５回／時間で７０回使用されたとすると、その都度、被処理物の測定が行われ、電極２ａ、２ｂ間には、いずれにしても交互に極性を反転させた電流が流れる。
従って電極２ａ、２ｂ間に電流が流れる総時間は、
電流の流れる総時間＝（７０＋１２）（回）×０．３（秒）
＝２４．６（秒）
であり、１年間でも、８９７９秒（２時間２９分３９秒）である。この条件、及び直流定電圧電源２３の電圧５Ｖかつ分圧抵抗器２５の抵抗値２０ｋΩで試験をしてみたところ、電極２ａ、２ｂのいずれも、その表面は光沢が失われることもなく、かつ錆の発生も全く認められなかった。電極２ａ、２ｂ間に流れる電流は、一回ごとに極性を反転させているため、電解腐食が一層進まないものとなっている。
【００６１】
＜実施例３＞
この実施例３の廃棄物処理槽用水分計は、図６に示すように、生ゴミ処理機の処理槽３２の側壁３１の内面側に相互に離間させて配置する二つの電極２ａ、２ｂと、該二つの電極２ａ、２ｂ間に電流を流すための直流定電圧電源３３、スイッチ部３４及び電流制限抵抗器３５を備えた電源部３６と、該二つの電極２ａ、２ｂ間を流れる電流を測定する電流計３７ａ及びその出力をＡ／Ｄ変換するＡ／Ｄ変換部３７ｂとからなる測定部３７と、該電源部３６のスイッチ部３４及び測定部３７を制御する制御部３８とで構成したものである。
【００６２】
前記電極２ａ、２ｂは、実施例１のそれらと全く同様の構成であり、実施例１で用いた絶縁板９で同様に生ゴミ処理機の処理槽３２の側壁３１に取り付けられる。
【００６３】
前記電源部３６は、前記のように、この実施例３では、直流定電圧電源３３とスイッチ部３４と電流制限抵抗器３５とからなるものであるが、該直流定電圧電源３３は、生ゴミ処理機の制御装置用のそれと共用する。図面上は生ゴミ処理機のそれから独立した如くに描いてあり、説明もそのように行うが、これは説明の都合上便宜的にそうしているに過ぎない。また前記スイッチ部３４は、この実施例３では、実施例１と同様に、機械式のそれを用いているが、それに限らず、半導体スイッチを用いることも自由である。また電流制限抵抗器３５は、被処理物１１の水分状態や成分状態により過剰の電流が流れることがないように制限するものである。
【００６４】
前記直流定電圧電源３３は、この実施例３では、その陽極側をスイッチ部３４を介して、前記電極２ａの端子片１０に接続し、その陰極側を電流制限抵抗器３５及び電流計３７ａを介して前記電極２ｂの端子片１０に接続する。
【００６５】
前記測定部３７の電流計３７ａは、前記のように、前記電極２ａ、２ｂ間を流れる電流を測定する手段であり、この実施例３では、アナログ式の電流計を採用している。電流計３７ａで測定されたアナログ信号である電流値はこの測定部３７中に備えられたＡ／Ｄ変換部３７ｂでディジル信号に変換されて出力されるようになっている。なお、この電流計３７ａとしては、当然、ディジタル式のそれを採用することも可能であり、その場合は、電流計にＡ／Ｄ変換部が内蔵されているので直接その出力を制御部３８に送ることができる。以上の測定部３７の電流計３７ａは、云うまでもなく、その陽極側を電極２ｂの端子片１０に、陰極側を前記電流制限抵抗器３５を介して前記直流定電圧電源３３の陰極側に接続する。
【００６６】
前記制御部３８は、これも、生ゴミ処理機の制御装置を共用する。図面上は、生ゴミ処理機のそれとは独立したように描かれているが、それは説明のための便宜上そうしているに過ぎない。
【００６７】
該制御部３８は、この廃棄物処理槽用水分計のための機能としては、前記二つの電極２ａ、２ｂ間に間欠的に電流を流すべく前記電源部３６のスイッチ部３４をオンオフ制御し、そのオンの時間中に前記測定部３７の電流計３７ａで測定されている該二つの電極２ａ、２ｂ間を流れる電流の値を所定のタイミングでサンプリングし、Ａ／Ｄ変換部３７ｂでＡ／Ｄ変換させ、これを水分値として受け取るべく制御する。具体的には、この実施例３では、該スイッチ部３４を、２時間毎に（２４時間で１２回）０．３秒間ずつオンとなるように制御し、その間の更に５０ｍｓの間に電流計３７ａで測定している電流の値(アナログ信号)をＡ／Ｄ変換部３７ｂでサンプリングし、かつこれをＡ／Ｄ変換し、得られたディジタル信号である電流値を水分値として受け取るべく該測定部３７を制御するものである。
【００６８】
また、これに加えて、生ゴミ処理機側の図示しないセンサで新たな生ゴミを投入したことが検出された場合には、その後、実施例１と同様に、撹拌手段１３の一サイクルの動作（一定時間の正転→一定時間の停止→一定時間の逆転→一定時間の停止）の終了後、前記スイッチ部３４を、同様に、０．３秒間だけオンとなるように制御し、その間に電流計３７ａで測定している電流の値を、更にその間の５０ｍｓの間にＡ／Ｄ変換部３７ｂでサンプリングし、かつこれをＡ／Ｄ変換し、得られたディジタル電流信号を水分値信号として受け取るべく該測定部３７を制御する。
【００６９】
該制御部３８は、受け取った電流の値に基づいて、被処理物１１の水分率を１５％〜３５％（容積比）の範囲に維持すべく処理槽３２中の撹拌手段、排気手段、加温手段及び給水手段等の動作を制御する。この廃棄物処理槽用水分計を適用する生ゴミ処理機の構成は、実施例１で説明したバイオトイレと同様である。
【００７０】
従ってこの実施例３の廃棄物処理槽用水分計によれば、基本的には、制御部３８で、前記電源部３６のスイッチ部３４が２時間毎に０．３秒ずつオンになるように制御され、そのとき電極２ａ、２ｂ間にその間に位置する被処理物１１の水分状態によって定まる抵抗値に応じた電流が流れる。他方、上記０．３秒間のスイッチ部３４のオンの時間中に前記測定部３７の電流計３７ａで前記電極２ａ、２ｂ間を流れている電流の測定が行われており、その間の５０ｍｓの間に、そのアナログ値がＡ／Ｄ変換部３７ｂでサンプリングされ、かつＡ／Ｄ変換されてディジタル電流値信号となり、これが水分値信号として前記制御部３８に送られるように、該制御部３８で制御される。
【００７１】
またこの実施例３の廃棄物処理槽用水分計によれば、制御部３８により、このほかに、生ゴミ処理機側の図示しないセンサで新たな生ゴミが投入されたことが検出された場合には、引き続く撹拌手段の一サイクルの動作（そのときの水分率レベルに応じた、一定時間の正転→一定時間の停止→一定時間の逆転→一定時間の停止）の終了後に、前記スイッチ部３４を０．３秒間だけオンとなるように制御し、前記したのと同様に、電極２ａ、２ｂ間にその間に位置する被処理物１１の水分状態によって定まる抵抗値に応じた電流が流れるようにする。他方、前記測定部３７の電流計３７ａがその間に測定している電流の値を、その間の更に５０ｍｓの間にＡ／Ｄ変換部３７ｂでサンプリングし、かつＡ／Ｄ変換し、ディジタル電流値信号を制御部３８に送るように、測定部３７も制御する。
【００７２】
この制御部３８を兼ねる生ゴミ処理機の制御装置では、受け取った水分値信号（水分率信号）を予め設定した基準値と比較し、該当するレベルに応じて、前記排気手段、前記撹拌手段、前記加温手段及び前記給水手段を適切に動作するように制御し、処理槽３２中の被処理物１１の水分率を１５％〜３５％（容積比）の間に維持させるようにする。
【００７３】
また、以上のように、基本的に、２時間毎に被処理物１１の水分率を測定して撹拌手段及び排気手段等の処理手段にその時点の被処理物１１の水分率に適合する動作をさせ、新たな生ゴミの投入が行われた場合には、撹拌手段による被処理物１１の均一化が行われた後にすぐ水分率を測定し、その時点の被処理物１１の水分率に適合する処理手段の動作をさせることとしたものであるため、被処理物１１の水分率の測定が間欠的にかつ比較的少ない回数だけしか行われないとしても、被処理物１１の水分率は常時良好な状態を保持できるものである。
【００７４】
更に被処理物１１の水分率の測定回数は、この実施例３では、最少で１日１２回であるが、頻繁にトイレの使用が行われ、例えば、午前８時から午後１０時までの１４時間の間に５回／時間で７０回使用されたとすると、その都度、被処理物の水分率の測定も行われるので、電極２ａ、２ｂ間に電流が流れる１日の総時間は、
電流の流れる総時間＝（７０＋１２）（回）×０．３（秒）
＝２４．６（秒）
であり、１年間でも、８９７９秒（２時間２９分３９秒）である。この条件、及び直流定電圧電源３３の電圧５Ｖ、かつ電流制限抵抗器３５の抵抗値２０ｋΩで試験をしてみたところ、直流定電圧電源３３の陽極にスイッチ部３４を介して接続している電極２ａを含めて両電極２ａ、２ｂともに、その表面は特に光沢が失われることもなく、かつ錆の発生が認められることもなかった。
【００７５】
＜比較例＞
この比較例の廃棄物処理槽用水分計は、図７に示すように、バイオトイレの便槽１２の側壁１に相互に離間させて配置する二つの電極２ａ、２ｂと、該二つの電極２ａ、２ｂ間に電圧を印可するための直流定電圧電源４３及び分圧抵抗器４５を備えた電源部４６と、前記二つの電極２ａ、２ｂ間にかかる電圧を測定する電圧計４７ａ及びその出力をＡ／Ｄ変換するＡ／Ｄ変換部４７ｂとからなる測定部４７とで構成される従来のそれである。
【００７６】
前記直流定電圧電源４３の出力電圧は５Ｖであり、常時、前記電極２ａ、２ｂ間には、これと前記分圧抵抗器４５とで分圧される電圧が印可され、電流が流れるようになっている。前記分圧抵抗器４５の抵抗値は２０ｋΩである。
【００７７】
この条件で試験をしてみたところ、直流定電圧電源４３の陽極に接続している電極２ａは１年間で完全に錆びて破損し、使用不能になった。
【符号の説明】
【００７８】
１    側壁
２ａ、２ｂ  電極
２ａ１、２ｂ１  半球状本体
２ａ２、２ｂ２  ボルト状連結部
３    直流定電圧電源
４    スイッチ部
５    分圧抵抗器
６    電源部
７    測定部
７ａ  電圧計
７ｂ  Ａ／Ｄ変換部
８    制御部
９    絶縁板
９ａ  取付孔
９ｂ  筒部
１０  端子片
１１  被処理物
１２  便槽
１３  撹拌手段
１４  加温手段
１５  給水管
１６ａ  排気口
１６ｂ  吸気口
２３  直流定電圧電源
２４  切換スイッチ部
２４ａ、２４ｂ  支分スイッチ
ｄ    基部側の端子
ａ、ｂ、ｃ  接点
２５  分圧抵抗器
２６  電源部
２７  測定部
２７ａ  電圧計
２７ｂ  Ａ／Ｄ変換部
２８  制御部
３１  側壁
３２  処理槽
３３  直流定電圧電源
３４  スイッチ部
３５  電流制限抵抗器
３６  電源部
３７  測定部
３７ａ  電流計
３７ｂ  Ａ／Ｄ変換部
３８  制御部
４３  直流定電圧電源
４５  分圧抵抗器
４６  電源部
４７  測定部
４７ａ  電圧計
４７ｂ  Ａ／Ｄ変換部
Ｃ    電源及び測定部の回路
Ｄ    廃棄物処理槽用水分計
【図１】
2012154864.tif 000003
【図２】
2012154864.tif 000004
【図３】
2012154864.tif 000005
【図４】
2012154864.tif 000006
【図５】
2012154864.tif 000007
【図６】
2012154864.tif 000008
【図７】
2012154864.tif 000009